(57)【要約】【課題】セキュリティの低下を抑制しつつ、ユーザに対する利便性を向上させること。【解決手段】操作画面を表示する表示手段と、ユーザの操作を受付ける受付手段と、受付手段によってユーザの操作を受付けない状態で、所定時間が経過した場合に、操作画面を所定の状態に変更する表示制御手段と、ユーザの生体情報を取得する取得手段とを有し、表示制御手段は、所定時間内に、取得手段によって所定時間の計時前に最後に受付手段によって操作を受付けたユーザの生体情報が取得された場合に、受付手段によってユーザの操作を受付けない状態で所定時間が経過しても、操作画面を所定の状態に変更しないよう制御することを特徴とする。【選択図】図５
2010020488.tif 000002
【特許請求の範囲】
【請求項１】
操作画面を表示する表示手段と、
ユーザの操作を受付ける受付手段と、
前記受付手段によって前記ユーザの操作を受付けない状態で、所定時間が経過した場合に、前記操作画面を所定の状態に変更する表示制御手段と、
ユーザの生体情報を取得する取得手段とを有し、
前記表示制御手段は、前記所定時間の内に、前記取得手段によって前記所定時間の計時前に最後に前記受付手段によって操作を受付けたユーザの生体情報が取得された場合に、前記受付手段によって前記ユーザの操作を受付けない状態で前記所定時間が経過しても、前記操作画面を所定の状態に変更しないよう制御することを特徴とする情報処理装置。
【請求項２】
前記取得手段によって取得された前記所定時間の計時前に最後に前記受付手段によって操作を受付けたユーザの生体情報を格納する格納手段と、
前記取得手段によって前記所定時間の内に新たに取得された生体情報と、前記格納手段に格納された生体情報とに基づいて、前記所定時間の計時前に最後に前記受付手段によって操作を受付けたユーザと、前記所定時間の内に新たに取得された生体情報に対応するユーザが同じユーザであるか否かを判定する判定手段とをさらに有し、
前記判定手段によって同じユーザではないと判定されたことに応じて、前記操作画面を所定の状態に変更することを特徴とする請求項１に記載の情報処理装置。
【請求項３】
前記表示制御手段によって前記操作画面が所定の状態に変更される場合に、変更前の操作画面の設定を、ユーザを識別するための識別情報に対応付けて記憶する記憶手段をさらに備え、
前記表示制御手段は、前記取得手段によって取得された前記生体情報が、前記識別情報で識別されるユーザの生体情報である場合に、前記識別情報で識別されるユーザに対応付けて前記記憶手段に記憶された前記操作画面の設定に基づいて前記表示手段に操作画面を表示するよう制御することを特徴とする請求項１又は２に記載の情報処理装置。
【請求項４】
センサによってユーザの存在を検知する検知手段をさらに備え、
前記取得手段は、前記検知手段によって、前記ユーザの存在が検知される場合に、前記ユーザの生体情報を取得し、
前記検知手段によって、前記ユーザの存在が検知されない場合に、前記ユーザの生体情報を取得しないことを特徴とする請求項１乃至３のいずれか１項に記載の情報処理装置。
【請求項５】
前記生体情報は、ユーザの顔情報、指紋情報、静脈情報、声紋情報、掌形情報、網膜情報、又は虹彩情報であり、
前記取得手段は、生体情報検知センサによって前記生体情報を検知することにより取得することを特徴とする請求項１乃至４のいずれか１項に記載の情報処理装置。
【請求項６】
表示部に操作画面を表示する表示工程と、
操作部を介してユーザの操作を受付ける受付工程と、
前記操作部を介して前記ユーザの操作を受付けない状態で、所定時間が経過した場合に、前記操作画面を所定の状態に変更する表示制御工程と、
ユーザの生体情報を取得する取得工程とを有し、
前記表示制御工程では、前記所定時間の内に、前記取得工程にて前記所定時間の計時前に最後に前記操作部を介して操作を受付けたユーザの生体情報が取得された場合に、前記受付工程にて前記ユーザの操作を受付けない状態で前記所定時間が経過しても、前記操作画面を所定の状態に変更しないよう制御することを特徴とする情報処理装置の制御方法。
【請求項７】
前記取得工程にて取得された前記所定時間の計時前に最後に前記受付工程によって操作を受付けたユーザの生体情報を格納手段に格納する格納工程と、
前記取得工程にて前記所定時間の内に新たに取得された生体情報と、前記格納手段に格納された生体情報とに基づいて、前記所定時間の計時前に最後に前記操作部にて操作を受付けたユーザと、前記所定時間の内に新たに取得された生体情報に対応するユーザが同じユーザであるか否かを判定する判定工程とをさらに有し、
前記判定工程にて同じユーザではないと判定されたことに応じて、前記操作画面を所定の状態に変更することを特徴とする請求項６に記載の情報処理装置の制御方法。
【請求項８】
前記表示制御工程にて前記操作画面が所定の状態に変更される場合に、変更前の操作画面の設定を、ユーザを識別するための識別情報に対応付けて記憶手段に記憶する記憶工程をさらに備え、
前記表示制御工程では、前記取得工程にて取得された前記生体情報が、前記識別情報で識別されるユーザの生体情報である場合に、前記識別情報で識別されるユーザに対応付けて前記記憶手段に記憶された前記操作画面の設定に基づいて前記表示部に操作画面を表示するよう制御することを特徴とする請求項６又は７に記載の情報処理装置の制御方法。
【請求項９】
センサによってユーザの存在を検知する検知工程をさらに備え、
前記取得工程では、前記センサによって前記ユーザの存在が検知される場合に、前記ユーザの生体情報を取得し、
前記取得工程では、前記センサによって前記ユーザの存在が検知されない場合に、前記ユーザの生体情報を取得しないことを特徴とする請求項６乃至８のいずれかに記載の情報処理装置の制御方法。
【請求項１０】
前記生体情報は、ユーザの顔情報、指紋情報、静脈情報、声紋情報、掌形情報、網膜情報、又は虹彩情報であり、
前記取得工程では、生体情報検知センサによって前記生体情報を検知することにより取得することを特徴とする請求項６乃至９のいずれか１項に記載の情報処理装置の制御方法。
【請求項１１】
請求項６乃至１０のいずれか１項に記載の情報処理装置の制御方法をコンピュータに実行させるためのプログラムを記憶したコンピュータ読取可能な記憶媒体。
【請求項１２】
請求項６乃至１０のいずれか１項に記載の情報処理装置の制御方法をコンピュータに実行させるためのプログラム。
【発明の詳細な説明】
【技術分野】
【０００１】
本発明は、情報処理装置、情報処理装置の制御方法、記憶媒体及びプログラムに関するものである。
【背景技術】
【０００２】
従来、情報処理装置の一例である画像処理装置には、ユーザの認証を行うことによって使用者や使用機能を制限するものがある。これらの画像処理装置は、例えば、使用者を制限するために、使用権限を有するユーザのユーザＩＤを予め登録しておく。そして、ユーザＩＤの入力を受付け、入力されたユーザＩＤが予め登録されているユーザＩＤと一致する場合に、当該ユーザの画像処理装置へのログインを許可する。このような画像処理装置は、ユーザのログインを許可した後、ユーザがログアウトするまでは、ユーザから受付けた設定を保持し、保持された設定に従った設定画面を表示し続ける。そして、ユーザが画像処理装置からログアウトした場合に、それまで保持していた設定を破棄し、ユーザが再度ログインした場合には初期画面を表示する。ログアウトの方法としては、ユーザからログアウトの要求があった場合、又は、所定の時間、ユーザからの操作がなかった場合に、当該ユーザを画像処理装置からログアウトするものがある。
【０００３】
しかし、上述のようなログアウトの方法では、ユーザがログアウトの要求をし忘れた場合や、ログアウトされる前の所定の時間内であれば、使用権限を持たない他のユーザが画像処理装置を使用できてしまう。そのため、セキュリティが低下する。そこで、赤外線センサにより、装置の前に存在するユーザの存在を検知する技術が知られている（特許文献１参照）。当該特許文献１では、人体センサを用いてユーザが装置の近辺に存在するか否かを検知し、存在を検知しなくなった時点で、装置をオフモード又はサスペンドモードと呼ばれる低消費電力状態に移行させる。
【特許文献１】特開平１０−２０７５８４号公報
【発明の開示】
【発明が解決しようとする課題】
【０００４】
しかし、上述した従来の方法では以下に記載する問題がある。例えば、ユーザが人体センサによって存在を検知できない場所まで離れた後、すぐに戻ってきた場合に、再度、設定をやり直す必要がある。このように、従来の方法では、セキュリティの低下を防ぐ一方で、ユーザに対する利便性が損なわれていた。
【０００５】
本発明は、上述の問題に鑑みて成されたものであり、セキュリティの低下を抑制しつつ、ユーザに対する利便性を向上させることを目的とする。
【課題を解決するための手段】
【０００６】
本発明は、例えば、情報処理装置として実現できる。情報処理装置は、操作画面を表示する表示手段と、ユーザの操作を受付ける受付手段と、受付手段によってユーザの操作を受付けない状態で、所定時間が経過した場合に、操作画面を所定の状態に変更する表示制御手段と、ユーザの生体情報を取得する取得手段とを有し、表示制御手段は、所定時間の内に、取得手段によって所定時間の計時前に最後に受付手段によって操作を受付けたユーザの生体情報が取得された場合に、受付手段によってユーザの操作を受付けない状態で所定時間が経過しても、操作画面を所定の状態に変更しないよう制御することを特徴とする。
【発明の効果】
【０００７】
本発明は、例えば、セキュリティの低下を抑制しつつ、ユーザに対する利便性を向上させることができる。
【発明を実施するための最良の形態】
【０００８】
以下に本発明の一実施形態を示す。以下で説明される個別の実施形態は、本発明の上位概念、中位概念及び下位概念など種々の概念を理解するために役立つであろう。また、本発明の技術的範囲は、特許請求の範囲によって確定されるのであって、以下の個別の実施形態によって限定されるわけではない。
【０００９】
＜第１の実施形態＞
以下では、図１乃至図８を参照して、第１の実施形態について説明する。図１は、第１の実施形態に係る情報処理装置の一例である画像処理装置１００の構成を示すブロック図である。以下で説明する画像処理装置１００は、主に本発明を説明する上で必要となるブロックを含んで構成される。しかし、本発明に係る画像処理装置は、この構成に限定されず、他のブロックを含んで構成されてもよい。
【００１０】
画像処理装置１００は、ＣＰＵ１０１、ＲＯＭ１０２、ＲＡＭ１０３、データバス１０４、プリンタ制御部１０５、プリンタデバイス１０６、スキャナ制御部１０７及びスキャナデバイス１０８を備える。また、画像処理装置１００は、インタフェース制御部１０９、ＮＩＣ１１０、モデム１１１、ストレージ制御部１１２、ストレージ１１３、操作部１１８、認証制御部１１９、カード認証デバイス１２０及び顔情報取得デバイス１２１を備える。さらに、画像処理装置１００は、センサ制御部１２２及び人体検知センサ１２３を備える。
【００１１】
ＣＰＵ１０１は、画像処理装置１００全体を制御するための中央処理装置である。ＣＰＵ１０１は、ＲＯＭ１０２に格納されているブートプログラムによりＯＳ（Ｏｐｅｒａｔｉｎｇ Ｓｙｓｔｅｍ）を起動する。このＯＳ上で大容量のストレージ１１３に記憶されているコントローラプログラムや各種アプリケーションプログラムを実行させる。また、ＣＰＵ１０１は、内部バスであるデータバス１０４によって各ブロックと接続されている。
【００１２】
ＲＡＭ１０３は、ＣＰＵ１０１の主メモリやワークエリア等の一時記憶領域として動作する。さらに、画像処理の一時記憶領域としても使用される。
【００１３】
プリンタ制御部１０５は、画像データに従った画像を、給紙されたシートに印刷するために、プリンタデバイス１０６を制御する。プリンタデバイス１０６は、プリンタ制御部１０５の制御に従って、シート上に画像を印刷する。プリンタデバイス１０６は、電子写真方式やインクジェット方式等で実装される。
【００１４】
スキャナ制御部１０７は、スキャナデバイス１０８を制御して画像データを取得する。スキャナデバイス１０８は、ＣＣＤなどの光学読み取り装置を備え、原稿上の画像情報を電気信号データに変換する。
【００１５】
インタフェース制御部１０９は、ＮＩＣ（Ｎｅｔｗｏｒｋ Ｉｎｔｅｒｆａｃｅ Ｃａｒｄ）１１０のネットワークＩ／Ｆを制御して、ＬＡＮなどのネットワークに対して、画像データなどのデータの送受信を行う。また、インタフェース制御部１０９は、モデム１１１を制御して、電話回線に対してデータの送受信を行う。
【００１６】
ストレージ制御部１１２は、ストレージ１１３を制御する。ストレージ１１３は、ＨＤＤ等の読み出し／書き込みが可能な記憶装置である。ストレージ１１３には、システム全体を制御するためのコントロールプログラムや各アプリケーションプログラム、スキャンされた画像データなどのデータが保存される。さらに、ストレージ１１３は、蓄積された画像データを不図示の他のリモート機器からでも使用できるようにＮＩＣ１１０によりネットワーク１２４を介して共有化される。
【００１７】
操作部１１８は、入力制御部１１４、入力デバイス１１５、表示制御部１１６及び表示デバイス１１７（表示部ともいう。）を備える。入力制御部１１４は、タッチパネルやハードキーといった入力デバイス１１５を備え、ユーザ（操作者）の操作指示を入力する。表示制御部１１６は、ＬＣＤやＣＲＴなどの表示デバイス１１７を制御して、操作画面をユーザに対して表示する。
【００１８】
認証制御部１１９は、カード認証デバイス１２０、及び、顔情報（顔画像データ）を取得する顔情報取得デバイス１２１を制御する。カード認証デバイス１２０は、ユーザの情報が記録されたＩＤカードを読み取り、読み取った情報を電気信号データに変換してＣＰＵ１０１に送信する。なお、本実施形態では、ＩＤカードは無線通信部を備えており、当該カード認証デバイス１２０は、無線でＩＤカードとデータを送受するものとして説明する。なお、カード認証デバイス１２０は、ＩＤカードを挿入することができるように構成されており、挿入されたＩＤカードからデータを送受するものとしてもよい。顔情報取得デバイス１２１は、カメラ等で構成され、ユーザの顔を撮影し、個人を特定するための顔情報を取得し、顔画像データに変換する。これらの変換されたデータは、ユーザ認証等に用いられる。
【００１９】
センサ制御部１２２は、人体検知センサ１２３を制御する。人体検知センサ１２３は、赤外線等を用いて画像処理装置１００の前に人物がいることを検知するセンサである。
【００２０】
次に、図２及び図３を参照して、ユーザ認証時の操作画面について説明する。図２及び図３は、第１の実施形態に係る画像処理装置１００の操作画面の一例を示す図であり、ＣＰＵ１０１からの指示によって、表示制御部１１６が表示制御する。ユーザは、画像処理装置１００を利用する際に、図２又は図３の画面を介して、画像処理装置１００に認証処理を行わせ、画像処理装置１００にログインする。図２や図３に示す画面は、画像処理装置１００の起動時や、ユーザからログイン要求を受けたとき、又は画像処理装置１００にログインしているユーザがいないときに、表示制御部１１６によって表示されるものである。
【００２１】
図２の画面２０１は、ＲＯＭ１０２に格納された認証アプリケーションがＣＰＵ１０１によって実行されることによって表示される。画面２０１には、フィールド２０２、２０３に示されるように、ユーザに対してＩＤカードの読み込みを促す。図２の画面２０１が、表示デバイス１１７に表示された状態で、ＩＤカードが近づけられると、認証制御部１１９は、カード認証デバイス１２０を介して、ＩＤカードからユーザＩＤとパスワードを読取る。そして、認証制御部１１９は予めストレージ１１３に格納されているユーザＩＤ及びパスワードと比較することによって、ユーザの認証を行い、ユーザの認証に成功した場合にユーザの画像処理装置１００へのログインを許可する。
【００２２】
また、図３の画面３０１は、ユーザのログイン認証を行うための入力画面を示す。図３の画面が表示された状態で、ユーザは、操作部１１８が備えるソフトウェアキーボード４０１（図４参照）を介して、ユーザＩＤとパスワードを入力する。ユーザによって、ユーザＩＤとパスワードが入力されると、表示制御部１１６は、フィールド３０３にユーザＩＤを表示し、フィールド３０４にパスワードを表示する。
【００２３】
図４は、ソフトウェアキーボード４０１の一例を示す図であり、図３に示すフィールド３０３や３０４が押されたときに、表示制御部１１６によって表示される。ユーザは、ソフトウェアキーボード４０１のキー群４０３を操作して、パスワードを入力する。ユーザがパスワードを入力すると、表示制御部１１８は、ソフトウェアキーボード４０１上の入力文字列表示ラベル４０２に、入力した文字数に応じた“＊”を表示する。それによって、入力内容がマスクされる。キャンセルボタン４０４は、入力した内容をキャンセルするボタンである。ＯＫボタン４０５は、入力した内容を確定するボタンである。ＯＫボタン４０５が押されると、表示制御部１１８は、ソフトウェアキーボード４０１の表示をやめ、図３に示す画面を表示する。このとき図３のフィールド３０４には、ソフトウェアキーボード４０１によって入力されたパスワードが“＊”の状態で表示される。
【００２４】
そして、図３に示すように、ユーザによってユーザＩＤと、ユーザＩＤに対応するパスワードが入力された状態で、ＯＫボタン３０５が押下されると、認証制御部１１９は、ユーザの認証を行う。ユーザの認証に成功した場合に、認証制御部１１９は、ユーザの画像処理装置１００へのログインを許可する。また、認証が成功すると、ＣＰＵ１０１は、ユーザから画像処理装置１００を操作するための画面を表示制御部１１６に表示させ、当該ユーザに対して画像処理装置１００の使用を許可する。即ち、ＣＰＵ１０１は、認証が成功すると、ユーザを当該画像処理装置１００にログインした状態とする。
【００２５】
次に、図５を参照して、本実施形態に係るＣＰＵ１０１の制御について説明する。図５は、ＣＰＵ１０１の処理手順を示すフローチャートである。以下で説明する処理は、ＣＰＵ１０１がＲＯＭ１０２に記憶されているプログラムをＲＡＭ１０３にロードしてそのプログラムを実行することによって行われる。
【００２６】
ステップＳ５０１において、ＣＰＵ１０１は、認証制御部１１９によって、図２又は図３を用いて説明したユーザ認証を行う。図２でＩＤカードからユーザＩＤ及びパスワードを取得した場合、又は図３でＯＫボタン３０５が押された場合に、ＣＰＵ１０１は、Ｓ５０２に処理を進める。
【００２７】
ステップＳ５０２において、ＣＰＵ１０１は、Ｓ５０１で取得したユーザＩＤ又はパスワードに基づいて、ユーザが予め登録されているユーザであるか否かを判定する。ここで、予め登録されているユーザでなければ、ＣＰＵ１０１は、表示制御部１１６によって、表示デバイス１１７に「登録ユーザではありません」等のメッセージを表示させ、処理を終了する。一方、予め登録されているユーザであれば、ＣＰＵ１０１は、ステップＳ５０３において、ＣＰＵ１０１は、顔情報取得デバイス１２１を用いてユーザの顔情報１を取得し、顔の特徴点データの抽出を行う。なお、ＣＰＵ１０１は、Ｓ５０１で、顔情報取得デバイス１２１を用いて、ユーザの認証行ってもよい。その場合、ＣＰＵ１０１は、顔情報取得デバイス１２１を用いて撮影したユーザの顔情報が、ストレージ１１３に予め登録されているか否かを判定する。ＣＰＵ１０１は、ユーザの顔情報が、ストレージ１１３に予め登録されていると判定した場合に、ユーザのログインを許可する。このようにユーザの顔情報を用いてユーザの認証を行っている場合には、Ｓ５０３で、改めてユーザの顔情報を取得する必要はないため、Ｓ５０３の処理をスキップするとよい。Ｓ５０３の詳細な説明については、図６を用いて後述する。
【００２８】
次に、ステップＳ５０４において、ＣＰＵ１０１は、不在カウンタをリセット（０で初期化）する。不在カウンタとは、ユーザが装置の前に存在しない場合、及び、操作部１１８からの入力が検知されていない期間を計時するためのカウンタである。ステップＳ５０５において、ＣＰＵ１０１は、ユーザが操作中であるか否かを判定する。ここで、操作中であれば、ＣＰＵ１０１は、処理をステップＳ５０４に戻す。一方、操作中でなければ、ＣＰＵ１０１は、処理をステップＳ５０６に移行する。操作中であるか否かの判定は、例えば、入力デバイス１１５からのユーザの入力を、入力制御部１１４で検出しているか否かを判定することによって行われる。
【００２９】
次に、ステップＳ５０６において、ＣＰＵ１０１は、人体検知センサ１２３からの入力の有無をセンサ制御部１２２で判断し、ユーザが画像処理装置１００の前に存在するか否かを判定する。人体検知については、顔情報取得デバイス１２１から得られた撮影データに基づいて、その画像中に人物が写っているか否かを認証制御部１１９で判定することにより実現されてもよい。ユーザの存在が検出された場合、ＣＰＵ１０１は、ステップＳ５０７に処理を進める。一方、検出されなかった場合、ＣＰＵ１０１は、ステップＳ５０９に処理を進める。ユーザの存在が検出された場合、ステップＳ５０７において、ＣＰＵ１０１は、顔情報取得デバイス１２１によって顔情報２を取得し、顔の特徴点データの抽出を行う。
【００３０】
次に、ステップＳ５０８において、ＣＰＵ１０１は、ステップＳ５０３とステップＳ５０７で得られた顔情報１、２の特徴点データを比較する。特徴点データの比較は、ＲＡＭ１０３に格納された顔情報１、２の特徴点データを用いて行われる。当該比較結果が予め定められた条件を満たし、類似していると判断された場合には、ＣＰＵ１０１は、現在ログイン中のユーザと同一であると判断し、処理をステップＳ５０４に戻す。一方、当該比較結果が予め定められた条件を満たしていない場合は、現在ログイン中のユーザと別のユーザであると判断し、ステップＳ５１１においてログアウト処理を実行する。ログアウト処理を実行する場合、ＣＰＵ１０１は、それまでにユーザから受付けて、ＲＡＭ１０３やストレージ１１３などに保持していた設定情報を破棄し、ＲＡＭ１０３やストレージ１１３内のメモリ領域を解放する。次回、同じユーザが画像処理装置１００にログインした場合には、ＣＰＵ１０１は、操作部１１８には初期状態の画面を表示する。なお、初期状態の画面に代えて、ユーザによって予め定められた状態の画面を表示するようにしてもよい。また、上述した予め定められた条件とは、任意に設定することができる。例えば、各位置データが全て一致することを条件としてもよい。しかし、デバイスの精度等により、例えば、全位置データのうち７０％以上が一致することを条件としてもよい。
【００３１】
また、ステップＳ５０６でユーザが画像処理装置１００の前に存在しないと判定された場合、ステップＳ５０９において、ＣＰＵ１０１は、不在カウンタをインクリメントする。続いて、ステップＳ５１０において、ＣＰＵ１０１は、不在カウンタの値が所定の値と等しいか否かを判定する。ここで、等しいと判定した場合、ＣＰＵ１０１は、画像処理装置１００の前に所定時間ユーザが不在であったと判断し、処理をＳ５１１に移行させてログアウト処理を実行する。一方、等しくないと判定した場合、ＣＰＵ１０１は、処理をステップＳ５０５に戻し、Ｓ５０５乃至Ｓ５１０の処理を繰り返す。この繰り返しにより、ユーザによって操作を受付けず、人体検知センサ１２３によって、ユーザの存在の検知もされない間、不在カウンタは、ＣＰＵ１０１によってインクリメントされ続ける。
【００３２】
上述した不在カウンタの所定の値は、ユーザによって操作１１８を介して変更可能となっていてもよい。この値を短くするほど、ユーザ不在の場合に、短時間でユーザは画像処理装置１００からログアウトされることとなる。また、上述のフローチャートには示していないが、ユーザから操作部１１８に設けられたログアウトボタンが押された場合にも、ＣＰＵ１０１は、ユーザを画像処理装置１００からログアウトさせる。
【００３３】
次に、図６を参照して、顔情報取得処理について説明する。図６は、第１の実施形態に係る顔情報を取得する処理手順を示すフローチャートである。以下で説明する処理は、ＣＰＵ１０１がＲＯＭ１０２に格納されたプログラムを実行することによって、認証制御部１１９に行わせる処理である。
【００３４】
ステップＳ６０１において、認証制御部１１９によって、顔情報取得デバイス１２１を制御して、ユーザの顔を撮影し、ユーザの顔画像データを取得する。顔画像データは、例えば、図７の７０１に示す。図７は、顔画像データの一例を示す図である。７０１は顔画像データの一例である。認証制御部１１９では顔画像データ７０１に基づいて以下の処理を行う。
【００３５】
まず、ステップＳ６０２において、認証制御部１１９は、顔画像データ７０１から、顔の部分の切り出しを行う。続いて、ステップＳ６０３において、認証制御部１１９は、顔の特徴点を抽出する。顔の特徴点とは、図８に示す顔画像データ８０１内の８０２に示す顔の輪郭や顔のパーツの複数の位置データ（白丸）を示す。図８は、顔画像データ８０１の特徴点を示す図である。
【００３６】
特徴点が抽出されると、ステップＳ６０４において、認証制御部１１９は、抽出した特徴点を示す位置データをストレージ制御部１１２を介して、ストレージ１１３に格納する。したがって、上述したステップＳ５０８で、ＣＰＵ１０１は、顔情報１の位置データと、顔情報２の位置データとを照合し、それらの類似度に基づいて、予め定められた条件を満たしているか否かを判定することができる。
【００３７】
以上説明したように、本実施形態に係る画像処理装置１００は、ログイン中のユーザから入力を所定時間が経過するまでに受付けなかった場合に、当該ユーザのログアウト処理を実行する。さらに、画像処理装置１００は、上述の不在カウンタによる所定時間内に、人体検知センサ１２３を用いて人体が検知された場合、検知された人物が当該ログイン中のユーザであるか否かを判定する。ここで、検知された人体が当該ログイン中のユーザとは異なる人物であった場合に、ログイン中のユーザのログアウト処理を行う。このように、本画像処理装置１００は、ログアウト処理までの所定時間を計測している間に他のユーザによる使用を防止する。即ち、本画像処理装置１００は、自装置を使用するユーザが変更されたことを検知して、ログアウト制御を行うため、使用権限のないユーザによる画像処理装置の使用を抑制することができる。また、入力がない場合の所定時間の計測中にログイン中のユーザの存在を再度確認できた場合、画像処理装置１００は、不在カウンタを初期化し、ユーザによる画像処理装置１００の使用を許可した状態を維持する。これにより、ログイン中のユーザが一時的に装置前を離れて戻った場合（人体検知センサ１２３によってユーザの存在が検知できない場所まで離れて戻った場合）であっても、ユーザは再度ログインすることなく、画像処理装置１００を使用できる。このような画像処理装置１００は、次のような状況の場合に有用である。例えば、ユーザＡが、画像処理装置１００の使用中に、画像処理装置１００のマニュアルを読みたい場合がある。そのような場合、ユーザＡは、マニュアルを探すために画像処理装置１００の前を離れて、画像処理装置１００の前に戻ってくることが想定される。
【００３８】
ユーザＡが、所定時間の計時前に画像処理装置１００の操作部１１８を介して最後に操作した後、画像処理装置１００の前を離れて、誰も画像処理装置１００の前に近づかないまま、不在カウンタの値が所定の値になったとする。その場合には、自動的にユーザＡは画像処理装置１００からログアウトさせる。それによって、ユーザＡが長時間戻ることができないような場合に、ユーザＡとは異なるユーザＢがユーザＡの権限で画像処理装置１００を使用することを防ぐことができる。例えば、ユーザＡの権限がないと利用できない機能や参照できないアドレス帳等の情報が、ユーザＢによって利用、参照されることを防ぐことができる。
【００３９】
一方、ユーザＡが画像処理装置１００の前を離れた後、不在カウンタの値が所定の値になる前に、ユーザＡが画像処理装置１００の前に戻ってきた場合には、ユーザＡの操作を受付けなくても、ユーザＡをログアウトさせない。それによって、ユーザＡが画像処理装置１００を続けて操作したい場合に、ユーザは再度ログインせずとも、ユーザＡは、画像処理装置１００の操作を続けることができる。
【００４０】
また、ユーザＡが画像処理装置１００の前を離れて、戻ってくるまでに、ユーザＡとは異なるユーザＢが画像処理装置１００を利用するために、画像処理装置１００に近づいたとする。その場合、画像処理装置１００は、ユーザＢの顔を撮影し、画像処理装置１００にログインしているユーザＡの顔とは異なることを検知する。そして、画像処理装置１００は、ユーザＡを画像処理装置１００からログアウトさせる。それによって、ユーザＡが画像処理装置１００にログインした状態のまま、ユーザＢが画像処理装置１００を使用し、ユーザＡの権限がないと利用できない機能や参照できないアドレス帳が利用されることを防ぐことができる。
【００４１】
以上のように、本画像処理装置１００は、セキュリティが低下することを抑制しつつ、ユーザの利便性を向上させることができる。
【００４２】
なお、本発明は上記実施形態に限らず様々な変形が可能である。例えば、本画像処理装置１００は、顔画像データから特徴点を示す複数の位置データを抽出してもよい。この場合、本画像処理装置は、２つの顔画像データを比較する場合に、２つの位置データを照合し、当該結果が予め定められた条件を満たしているか否かを判定する。このように、顔画像データの特徴点を抽出することで、比較処理を容易にすることができ、処理負荷を軽減することができる。
【００４３】
＜第２の実施形態＞
次に、図９乃至図１１を参照して、第２の実施形態について説明する。上述した第１の実施の形態では、画像処理装置１００において、ユーザのログアウト処理に顔情報を用いる形態について説明した。本実施形態では、さらに、ユーザが画像処理装置１００の処理の設定途中に自動的にログアウト処理がなされてしまった場合において、ユーザの利便性を高めるための形態について説明する。
【００４４】
本実施形態に係る画像処理装置の構成は、図１の構成で示され、上述した第１の実施形態と同様の構成であるため、ここでは説明を省略する。同様に、操作画面図２及び図３についても説明を省略する。
【００４５】
図９は、第２の実施形態に係るＣＰＵ１０１の処理手順を示すフローチャートである。以下で説明する処理は、ＣＰＵ１０１がＲＯＭ１０２に記憶されているプログラムをＲＡＭ１０３にロードしてそのプログラムを実行することによって統括的に制御される。
【００４６】
ステップ９０１において、ＣＰＵ１０１は、認証制御部１１９によって、図２又は図３を用いて説明したユーザ認証を行う。図２でＩＤカードからユーザＩＤ及びパスワードを取得した場合、又は図３でＯＫボタン３０５が押された場合に、ＣＰＵ１０１は、Ｓ５０２に処理を進める。
【００４７】
ステップＳ９０２において、ＣＰＵ１０１は、Ｓ５０１で取得したユーザＩＤ又はパスワードに基づいて、ユーザが予め登録されているユーザであるか否かを判定する。ここで、予め登録されているユーザでなければ、ＣＰＵ１０１は、表示制御部１１６によって、表示デバイス１１７に「登録ユーザではありません」等のメッセージを表示させ、処理を終了する。一方、予め登録されているユーザであれば、ＣＰＵ１０１は、ステップＳ９０３において、ユーザの顔情報１を取得し、顔の特徴点データの抽出を行う。なお、ＣＰＵ１０１は、Ｓ５０１で、顔情報取得デバイス１２１を用いて、ユーザの認証行ってもよい。その場合、ＣＰＵ１０１は、顔情報取得デバイス１２１を用いて撮影したユーザの顔情報が、ストレージ１１３に予め登録されているか否かを判定する。ＣＰＵ１０１は、ユーザの顔情報が、ストレージ１１３に予め登録されていると判定した場合に、ユーザのログインを許可する。このようにユーザの顔情報を用いてユーザの認証を行っている場合には、Ｓ９０３で、改めてユーザの顔情報を取得する必要はないため、Ｓ９０３の処理をスキップするとよい。Ｓ９０３の詳細な説明については、第１の実施形態と同様であり、説明を省略する。
【００４８】
次に、ステップＳ９０４において、ＣＰＵ１０１は、前回の当該ユーザのログイン時に保持画面があるか否かを判定する。保持画面とは、後述するステップＳ９１５にて、ＣＰＵ１０１によってストレージ１１２に格納される、ユーザによって受付けた設定を保持した画面である。保持画面を保持している場合、ＣＰＵ１０１は、ステップＳ９０５において、該当する保持画面を表示デバイス１１７に表示する。図１０は、保持画面１００１の一例を示す図である。図１０に示す画面は、ユーザによってメールアドレスの設定を行っている途中の画面である。また、保持画面の例はこれに限らず、コピー設定画面において、ユーザがコピー部数や、画像濃度の設定等の設定がなされた画面であってもよい。一方、保持画面１００１を保持していない場合、ＣＰＵ１０１は、ステップＳ９０６において、初期画面を表示する。
【００４９】
続いて、ステップＳ９０７において、ＣＰＵ１０１は、不在カウンタをリセット（０で初期化）する。不在カウンタとは、ユーザが装置の前にいない場合、及び、入力が検知されていない期間を計時するためのカウンタである。ステップＳ９０８において、ＣＰＵ１０１は、ユーザが操作中であるか否かを判定する。ここで、操作中であれば、ＣＰＵ１０１は、ステップＳ９０７に処理を進める。一方、操作中でなければ、ＣＰＵ１０１は、ステップＳ９０９に処理を進める。操作中であるか否かの判定は、例えば、入力デバイス１１５からのユーザの入力を入力制御部１１４で検出しているか否かを判定することによって行われる。
【００５０】
次に、ステップＳ９０９において、ＣＰＵ１０１は、人体検知センサ１２３からの入力の有無をセンサ制御部１２２で判断し、ユーザが画像処理装置１００の前にいるか否かを検出する。人体検知については、第１の実施形態と同様であるため説明を省略する。ユーザの存在が検出された場合、ＣＰＵ１０１は、ステップＳ９１０に処理を進める。一方、検出されなかった場合、ＣＰＵ１０１は、ステップＳ９１２に処理を進める。ユーザが検出された場合、ステップＳ９１０において、顔情報取得デバイス１２１によって顔情報２を取得し、顔の特徴点データの抽出を行う。
【００５１】
次に、ステップＳ９１１において、ＣＰＵ１０１は、ステップＳ９０３とステップＳ９１０で得られた顔情報１，２の特徴点データを比較する。特徴点データの比較は、ＲＡＭ１０３に置かれた顔情報１，２の特徴点データを用いて行われる。当該比較結果が予め定められた条件を満たし、類似していると判断された場合には、ＣＰＵ１０１は、現在ログイン中のユーザと同一であると判断し、処理をステップＳ９０７に戻す。一方、当該比較結果が予め定められた条件を満たしていない場合は、現在ログイン中のユーザと別のユーザであると判断し、処理をステップＳ９１４に移行する。また、上述した予め定められた条件とは、任意に設定することができる。例えば、各位置データが全て一致することを条件としてもよい。しかし、デバイスの精度等により、例えば、全位置データのうち７０％以上が一致することを条件としてもよい。
【００５２】
また、ステップＳ９０９でユーザが画像処理装置１００の前にいないと判断された場合、ステップＳ９１２において、ＣＰＵ１０１は、不在カウンタをインクリメントする。続いて、ステップＳ９１３において、ＣＰＵ１０１は、不在カウンタの値が所定の値と等しいか否かを判定する。ここで、等しいと判定した場合、ＣＰＵ１０１は、画像処理装置１００の前に所定時間ユーザが不在であったと判断し、処理をＳ９１４に移行する。一方、等しくないと判定した場合、ＣＰＵ１０１は、処理をステップＳ９０８に戻し、Ｓ９０８乃至Ｓ９１３の処理を繰り返す。
【００５３】
ユーザが変更になった場合、又は、所定時間入力がなかった場合には、Ｓ９１４乃至Ｓ９１６においてログアウト処理が実行される。ステップＳ９１４において、ＣＰＵ１０１は、現在のユーザが操作している画面を保持すべきか否かを判定する。保持すべき画面がない場合には、ＣＰＵ１０１は、そのままＳ９１６のログアウト処理に移行する。一方、保持すべき画面がある場合には、ＣＰＵ１０１は、ステップＳ９１５において、各ユーザに対して固有に割り当てられた識別情報（ユーザＩＤ）に対応付けて、現在使用されている画面及び設定をストレージ１１２に保存する。
【００５４】
ここで、保持すべき画面があるか否かの判定は、ユーザが操作している画面の種別によって判定することにより行われる。例えば、初期設定画面と比較して所定の設定がなされた状態の場合には、ＣＰＵ１０１は、保持すべき画面であると判断する。例えば、図１０に示す保持画面１００１は、ユーザが操作中の電子メールアドレスの入力画面を示す。フィールド１００２には、ユーザが送信を行う宛先の電子メールアドレスが入力されている。本実施形態によれば、上述の状態でログアウト処理が行われる場合には、Ｓ９１６のログアウト処理に先立って、Ｓ９１５の画面及び設定の保存処理が行われる。
【００５５】
次に、図１１を参照して、本実施形態に係るユーザごとの登録情報について説明する。図１１は、ユーザ固有の登録情報１１０１を示す図である。登録情報１１０１は、画像処理装置１００のＲＡＭ１０３又はストレージ１１３に保持され管理される。
【００５６】
図１１に示すように、登録情報１１０１には、登録ＩＤ１１０２及び登録データポインタ１１０３が含まれる。登録データポインタ１１０３は、登録ＩＤ１１０２に対応するデータを管理する管理テーブル１１０４へのポインタが格納される。
【００５７】
また、管理テーブル１１０４には、ユーザ名１１０５、保持情報１１０６、保持画面ＩＤ１１０７、保持テキストポインタ１１０８及び保持期限１１０９が含まれる。ユーザ名１１０５には、当該ユーザの名前、例えば、「ｙａｍａｄａ」などの文字列が格納される。保持情報１１０６には、上述した保持画面が保持されているか否かを示す保持情報フラグを格納する。保持画面ＩＤ１１０７には、保持されている画面の画面ＩＤが格納される。保持テキストポインタ１１０８は、保持画面に入力されたテキストへのポインタが格納される。保持期限１１０９には、保持している画面の保持期限が含まれる。また、図１１に示す１１１０は、テキストデータの内容を示す。
【００５８】
本実施形態に係る画像処理装置１００は、同一ユーザが次回ログインした際に、この登録情報１１０１に基づいてステップＳ９０４で保持画面があるか否かを判定し、保持画面がある場合には、これを表示する。
【００５９】
以上説明したように、本実施形態に係る画像処理装置１００は、第１の実施形態と同様の効果を得ることができる。それに加えて、第２の実施形態によれば、画像処理装置１００は、ユーザが自動的にログアウトされた場合であっても、操作中の画面（自動ログアウトによる初期状態の画面への変更前の画面）、設定を保存し、次回ログイン時に当該画面を復帰させる。それによって、セキュリティが低下することを抑制しつつ、ユーザの利便性をより向上させることができる。
【００６０】
＜第３の実施形態＞
次に、図１２を参照して、第３の実施形態について説明する。図１２は、第３の実施形態に係る画像処理システム１２００の構成を示す図である。画像処理システム１２００は、画像処理装置１００及び認証サーバ１２０１を備える。各装置は、ネットワーク１２４を介して接続され、相互に通信可能に設定される。
【００６１】
第１及び第２の実施形態では、顔情報取得デバイス１２１で取得した顔画像データの特徴点抽出を認証制御部１１９で行う形態を説明した。しかし、本実施形態によれば、画像処理装置１００は、顔画像データから特徴点を抽出すると、当該抽出結果を認証サーバ１２０１に送信する。そして、認証サーバ１２０１は、送信された抽出結果と、自装置のメモリに予め格納されている特徴点の登録データとを比較することにより、予め定められた条件を満たしているか否かを判定する。また、図５に示すＳ５０８において、本実施形態に係る画像処理装置１００のＣＰＵ１０１は、上述の判定を行うことなく認証サーバ１２０１から予め定められた条件が満たされているか否かの判定結果を取得する。
【００６２】
したがって、本実施形態による画像処理システム１２００では、図５に示すステップＳ５０１、図９に示すステップＳ９０１のユーザ認証を認証サーバ１２０１で行ってもよい。これにより、顔認証に関する処理を複数の装置に分散することができ、画像処理装置１００の処理負荷を低減することができる。また、認証制御部１１９によって行っていた顔情報の比較処理を行う構成をネットワーク１２４に接続された各画像処理装置１００が備えなくても、認証サーバ１２０１が備えるだけで、上述の実施形態のような処理を実現できる。顔認証を認証サーバ１２０１で行った場合であっても第１及び第２の実施形態における効果を低減させることはない。
【００６３】
なお、第１の実施形態においては、Ｓ５０１〜Ｓ５０２で認証したユーザの顔情報をＳ５０３で取得し、Ｓ５０７で撮影された顔情報と比較する方法で、画像処理装置１００を利用するユーザが変わったか否かを判定していた。しかし、画像処理装置１００が、ユーザごとの顔情報とユーザＩＤとを予め関連付けて、例えばテーブルのような形式で保存してある場合、次のように判定してもよい。例えば、画像処理装置１００のＣＰＵ１０１は、Ｓ５０１で取得したユーザＩＤをストレージ１１３等のメモリに格納しておく。そして、Ｓ５０７で取得した顔情報に対応するユーザＩＤをテーブルから割り出し、Ｓ５０１で取得したユーザＩＤと同じであるか否かを判定する。ＣＰＵ１０１は、同じであると判定した場合に、Ｓ５０４に処理を進め、同じではないと判定した場合には、Ｓ５１１に処理を進める。それによって、Ｓ５０３で、必ずしも顔情報を取得せずとも、画像処理装置１００を操作しているユーザが同一か否かを判定することができる。また、このような方法と比較して、第１の実施形態では、予めユーザごとの顔情報とユーザＩＤとを関連付けた情報を予め記憶しておかずとも、Ｓ５０３で顔情報を取得するため、操作中のユーザが同一か否かを判定できる。なお、ここでは第１の実施形態について説明したが、第２の実施形態にも同様の方法を適用できる。
【００６４】
また、上述の実施の形態においては、生体情報として顔の撮影を行って顔情報を取得する場合について説明したが、これに限られるものではない。例えば、ユーザから又は指紋情報、又は静脈情報、又は声紋情報、又は掌形情報、又は網膜情報、又は虹彩情報、又はそれらの組合せを取得するようにしてもよい。取得の方法としては、それぞれの情報に対応する生体情報検知センサを用いればよい。
【００６５】
例えば、第１の実施形態を例に説明すると、ユーザの生体情報として指紋情報を取得する場合には、画像処理装置１００に指紋読取部を設け、ＣＰＵ１０１は、図５のフローチャートに示す処理とほぼ同様の処理を行う。そして、画像処理装置１００は、Ｓ５０６で、人体検知センサ１２３によってユーザの存在を検知すると、Ｓ５０７に処理を進め、Ｓ５０７で、指紋読取部にユーザの指紋の取得を試みる。ＣＰＵ１０１は、指紋読取部にユーザの指が置かれており、ユーザの指紋を正常に取得できた場合には、Ｓ５０８にて、Ｓ５０３で取得されたユーザの指紋情報と一致するか否かを判定する。一致すると判定された場合には、Ｓ５０４に処理を進め、ＣＰＵ１０１は、不在カウンタをリセットする。すなわち、ＣＰＵ１０１は、ユーザが画像処理装置１００からログアウトされるまでの時間を延長する。また、Ｓ５０８にて、一致しないと判定された場合には、Ｓ５１１に処理を進め、Ｓ５０１で認証され、ログイン状態にあるユーザのログアウト処理を実行する。このように制御することにより、ユーザは、指紋読取部に指紋情報を読み取らせるだけで、自動的にログアウトされるまでの時間を延長することができる。また、指紋読取部にて自動的にログアウトされるまでの時間を延長する場合、操作部１１８の操作によって当該時間を延長する場合と異なり、他のユーザによる操作で当該時間が延長されることを防ぐことができる。なお、上述の実施形態のように、顔情報の取得によって、当該時間を延長する場合、指紋情報を読み取らせる場合と比較して、ユーザは意図的に指紋読取部に指を置く等の行為を注意して行う必要がないというメリットがある。ユーザは、カメラで顔情報を撮影できる範囲にいれば、当該時間を延長することができる。なお、ここでは第１の実施形態について説明したが、第２の実施形態にも同様の方法を適用できる。
【００６６】
以下、図１３に示すメモリマップを参照して本発明に係る画像処理装置で読み取り可能なデータ処理プログラムの構成について説明する。
【００６７】
図１３は、本発明に係る画像処理装置で読み取り可能な各種データ処理プログラムを格納するコンピュータ読取可能な記憶媒体のメモリマップを説明する図である。
【００６８】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【００６９】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【００７０】
本実施形態におけるフローチャートに示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【００７１】
以上のように、前述した実施形態の機能を実現するソフトウエアのプログラムコードを記録した記憶媒体を、システムあるいは装置に供給する。そして、そのシステムあるいは装置のコンピュータ（又はＣＰＵやＭＰＵ）が記憶媒体に格納されたプログラムコードを読出し実行することによっても、本発明の目的が達成されることは言うまでもない。
【００７２】
この場合、記憶媒体から読み出されたプログラムコード自体が本発明の新規な機能を実現することになり、そのプログラムコードを記憶した記憶媒体は本発明を構成することになる。
【００７３】
従って、プログラムの機能を有していれば、オブジェクトコード、インタプリタにより実行されるプログラム、ＯＳに供給するスクリプトデータ等、プログラムの形態を問わない。
【００７４】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【００７５】
この場合、記憶媒体から読出されたプログラムコード自体が前述した実施形態の機能を実現することになり、そのプログラムコードを記憶した記憶媒体は本発明を構成することになる。
【００７６】
その他、プログラムの供給方法としては、クライアントコンピュータのブラウザを用いてインターネットのホームページに接続する。そして、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【００７７】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００７８】
また、コンピュータが読み出したプログラムコードを実行することにより、前述した実施形態の機能が実現されるだけではない。例えばそのプログラムコードの指示に基づき、コンピュータ上で稼働しているＯＳ（オペレーティングシステム）等が実際の処理の一部又は全部を行う。そして、その処理によって前述した実施形態の機能が実現される場合も含まれることは言うまでもない。
【００７９】
さらに、記憶媒体から読み出されたプログラムコードが、コンピュータに挿入された機能拡張ボードやコンピュータに接続された機能拡張ユニットに備わるメモリに書き込ませる。その後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【００８０】
本発明は上記実施形態に限定されるものではなく、本発明の趣旨に基づき種々の変形（各実施形態の有機的な組合せを含む）が可能であり、それらを本発明の範囲から除外するものではない。
【００８１】
本発明の様々な例と実施形態を示して説明したが、当業者であれば、本発明の趣旨と範囲は、本明細書内の特定の説明に限定されるのではない。
【図面の簡単な説明】
【００８２】
【図１】第１の実施形態に係る画像処理装置１００の構成を示すブロック図である。
【図２】第１の実施形態に係る画像処理装置１００の操作画面の一例を示す図である。
【図３】第１の実施形態に係る画像処理装置１００の操作画面の一例を示す図である。
【図４】第１の実施形態に係るソフトウェアキーボード４０１の一例を示す図である。
【図５】第１の実施形態に係るＣＰＵ１０１の処理手順を示すフローチャートである。
【図６】第１の実施形態に係る顔情報を取得する処理手順を示すフローチャートである。
【図７】顔画像データの一例を示す図である。
【図８】顔画像データ８０１の特徴点を示す図である。
【図９】第２の実施形態に係るＣＰＵ１０１の処理手順を示すフローチャートである。
【図１０】第２の実施形態に係る保持画面１００１の一例を示す図である。
【図１１】第２の実施形態に係るユーザ固有の登録情報１１０１を示す図である。
【図１２】第３の実施形態に係る画像処理システム１２００の構成を示す図である。
【図１３】本発明に係る画像処理装置で読み取り可能な各種データ処理プログラムを格納する記憶媒体のメモリマップを説明する図である。
【符号の説明】
【００８３】
１００：画像処理装置
１０１：ＣＰＵ
１０２：ＲＯＭ
１０３：ＲＡＭ
１１８：操作部
１１９：認証制御部
１２０：カード認証デバイス
１２１：顔情報取得デバイス
１２２：センサ制御部
１２３：人体検知センサ
【図１】
2010020488.tif 000003
【図２】
2010020488.tif 000004
【図３】
2010020488.tif 000005
【図４】
2010020488.tif 000006
【図５】
2010020488.tif 000007
【図６】
2010020488.tif 000008
【図７】
2010020488.tif 000009
【図８】
2010020488.tif 000010
【図９】
2010020488.tif 000011
【図１０】
2010020488.tif 000012
【図１１】
2010020488.tif 000013
【図１２】
2010020488.tif 000014
【図１３】
2010020488.tif 000015